(57)【要約】【課題】噴流発生機構を装置本体と分離して設けなくとも簡単な工夫でめっき液中に容易に噴流を発生させることができ、これによりめっき液を撹拌することができるめっき装置を提供する。【解決手段】被めっき物を収容する筒状の装置本体１と、該装置本体１に連結された蛇腹形状の伸縮部材２と、該伸縮部材２の下端に装着された台座３とを備えている。そして、装置本体１及び伸縮部材２が互いに流通自在となるように連通しており、これら装置本体１及び伸縮部材２にめっき液５を満たす。この状態でシリンダ部４を駆動させると伸縮部材２が伸縮し、その結果装置本体１は上下方向に往復運動し、これによりめっき液には噴流が発生する。【選択図】図１
2007327119.tif 000002
【特許請求の範囲】
【請求項１】
被めっき物を収容する筒状の装置本体と、該装置本体に連接された伸縮部材とを備え、
前記装置本体と前記伸縮部材とが連通してこれら装置本体及び伸縮部材にめっき液が満たされると共に、前記伸縮部材を伸縮させて前記装置本体を所定方向に往復運動させ、前記めっき液に噴流が発生するように構成されていることを特徴とするめっき装置。
【請求項２】
被めっき物を収容する筒状の装置本体と、該装置本体に連接された伸縮部材と、該伸縮部材の前記装置本体と連接されていない他方の面に装着された槽とを備え、
前記装置本体、前記伸縮部材、及び前記槽が互いに連通してこれら装置本体、伸縮部材及び槽にめっき液が満たされると共に、前記伸縮部材を伸縮させて前記装置本体及び前記槽のうちの少なくともいずれか一方を所定方向に往復運動させ、前記めっき液に噴流が発生するように構成されていることを特徴とするめっき装置。
【請求項３】
多数の小孔が貫設された仕切り部材が、前記装置本体と前記伸縮部材との間に配設されていることを特徴とする請求項１又は請求項２記載のめっき装置。
【請求項４】
前記伸縮部材の伸縮動作を司る駆動機構を具備していることを特徴とする請求項１乃至請求項３のいずれかに記載のめっき装置。
【請求項５】
前記伸縮部材は、蛇腹形状に形成されていることを特徴とする請求項１乃至請求項４のいずれかに記載のめっき装置。
【請求項６】
前記往復運動は、上下方向に動作することを特徴とする請求項１乃至請求項５のいずれかに記載のめっき装置。
【発明の詳細な説明】
【技術分野】
【０００１】
本発明はめっき装置に関し、特に、無電解めっきに適しためっき装置に関する。
【背景技術】
【０００２】
めっき装置は、被めっき物をめっき液中に均一に分散させる必要性があることから、何らかの撹拌機構が必要となり、その撹拌機構としては、一般に回転バレル、傾斜バレル、振動バレル、揺動バレル等が知られている。
【０００３】
ところで、還元剤を用いて金属皮膜を析出させる無電解めっきでは、めっき液中の金属イオンが安定したイオンの状態で存在しにくくなると、めっき液は局所的に浴分解を起こし、還元剤と反応してめっき金属が異常析出するおそれがある。したがって、めっき液が浴分解を生じないように該めっき液をめっき浴槽内で十分に撹拌する必要である。
【０００４】
そして、従来より、図５に示すように、装置本体１０１内のめっき液１０２を撹拌するために、配管１０３等を介して装置本体１０１とポンプ等の流動器１０４とを接続してめっき液１０２を循環させ、流動器１０４によりめっき液１０２に噴流を発生するようにしためっき装置が知られている（例えば、特許文献１）。
【０００５】
このめっき装置では、配管１０３を介して循環するめっき液１０２が流動器１０４内を通過し、フィルタ１０５を介して下部から装置本体１０１内に噴流を生じさせ、これにより装置本体１０１内のめっき液１０２を撹拌している。
【０００６】
【特許文献１】特開２００３−２０１５７４号公報
【発明の開示】
【発明が解決しようとする課題】
【０００７】
しかしながら、特許文献１のように流動器１０４を装置本体１０１と分離して外部に取り付けると、めっき液１０２は配管１０３内をも通過するが、無電解めっき液の場合はめっき液中に還元剤が含有されているため、還元剤と金属イオンとが反応して配管１０３の管壁にもめっき金属が析出するおそれがある。そして、このように析出した金属が配管１０３内に堆積すると、保守・点検が非常に煩雑になる。
【０００８】
本発明はこのような事情に鑑みなされたものであって、噴流発生機構を装置本体と分離して設けなくとも簡単な工夫でめっき液中に容易に噴流を発生させることができ、これによりめっき液を撹拌することができるめっき装置を提供することを目的とする。
【課題を解決するための手段】
【０００９】
上記目的を達成するために本発明に係るめっき装置は、被めっき物を収容する筒状の装置本体と、該装置本体に連結された伸縮部材とを備え、前記装置本体と前記伸縮部材とが連通してこれら装置本体及び伸縮部材にめっき液が満たされると共に、前記伸縮部材を伸縮させて前記装置本体を所定方向に往復運動させ、前記めっき液に噴流が発生するように構成されていることを特徴としている。
【００１０】
また、本発明に係るめっき装置は、被めっき物を収容する筒状の装置本体と、該装置本体に連接された伸縮部材と、該伸縮部材の前記装置本体と連接されていない他方の面に装着された槽とを備え、前記装置本体、前記伸縮部材、及び前記槽が互いに連通してこれら装置本体、伸縮部材及び槽にめっき液が満たされると共に、前記伸縮部材を伸縮させて前記装置本体及び前記槽のうちの少なくともいずれか一方を所定方向に往復運動させ、前記めっき液に噴流が発生するように構成されていることを特徴としている。
【００１１】
さらに、本発明のめっき装置は、多数の小孔が貫設された仕切り部材が、前記装置本体と前記伸縮部材との間に配設されていることを特徴とするのも好ましい。
【００１２】
また、本発明のめっき装置は、前記伸縮部材の伸縮動作を司る駆動機構を具備していることを特徴としている。
【００１３】
また、本発明のめっき装置は、前記伸縮部材が、蛇腹形状に形成されている特徴とするのも好ましい。
【００１４】
また、本発明のめっき装置は、前記往復運動が、上下方向に動作することを特徴とするのも好ましい。
【発明の効果】
【００１５】
上記めっき装置によれば、被めっき物を収容する筒状の装置本体と、該装置本体に連結された伸縮部材とを備え、前記装置本体と前記伸縮部材とが連通してこれら装置本体及び伸縮部材にめっき液が満たされると共に、前記伸縮部材を伸縮させて前記装置本体を所定方向に往復運動させ、前記めっき液に噴流が発生するように構成されているので、流動器を装置本体と分離して別途設けなくとも、めっき液に噴流を発生させることが可能となり、めっき液を十分に撹拌することができる。しかも、上述したように流動器が不要であるので、流動器と装置本体を接続する配管も不要となり、保守・点検を容易かつ簡単に行うことができる。
【００１６】
また、上記めっき装置は、被めっき物を収容する筒状の装置本体と、該装置本体に連接された伸縮部材と、該伸縮部材の前記装置本体と連接されていない他方の面に装着された槽とを備え、前記装置本体、前記伸縮部材、及び前記槽が互いに連通してこれら装置本体、伸縮部材及び槽にめっき液が満たされると共に、前記伸縮部材を伸縮させて前記装置本体及び前記槽のうちの少なくともいずれか一方を所定方向に往復運動させ、前記めっき液に噴流が発生するように構成されているので、上述と同様の作用効果を奏することができる。しかも伸縮部材の伸縮動作によりめっき液の噴流効果がより一層顕著となり、めっき液をより一層均一に撹拌することが可能となる。
【００１７】
また、多数の小孔が貫設された仕切り部材が、前記装置本体と前記伸縮部材との間に配設されているので、被めっき物が伸縮部材側に落下するのを防止することができる。
【００１８】
このように本発明のめっき装置によれば、噴流発生機構を装置本体と分離して設けなくとも簡単な工夫でめっき液中に容易に噴流を発生させることができ、めっき液を十分に撹拌することができるので、無電解めっきに使用した場合であっても、めっき液が浴分解するのを防止することができ、金属イオンが還元剤によって還元されて異常析出するのを防止することができる。
【００１９】
尚、本発明の上述の及びその他の目的、特徴、及び効果は、下記の〔発明を実施するための最良の形態〕の記載からより一層明らかになるであろう。
【発明を実施するための最良の形態】
【００２０】
次に、本発明の実施の形態を添付図面に基づいて詳説する。
【００２１】
図１は本発明に係るめっき装置の一実施の形態（第１の実施の形態）を示す断面図である。
【００２２】
該めっき装置は、チップ型電子部品等の被めっき物（不図示）を収容する筒状に形成された装置本体１と、該装置本体１に連結された伸縮部材２と、該伸縮部材２の下端に設けられた台座３と、前記装置本体１が上方から押圧可能となるように構成されたシリンダ部４とを備え、また、装置本体１と伸縮部材２との間でめっき液５が流通自在となるように該装置本体１と前記伸縮部材２とは連通されている。
【００２３】
さらに、装置本体１と伸縮部材２との間には、多数の小孔が貫設された仕切り板６が配設されており、被めっき物が伸縮部材２側に落下して該伸縮部材２の内壁と内壁との間に挟まってしまうのを防止している。
【００２４】
伸縮部材２は、矢印Ａ方向に伸縮自在となるように蛇腹形状に形成されており、その材質としては良好な伸縮性、耐久性、及び耐食性を有するものであれば特に限定されるものではなく、例えば、シリコン、ポリエチレン樹脂、フッ素樹脂を使用することができる。
【００２５】
シリンダ部４は、装置本体１に冠着される蓋体７と、先端が前記蓋体７の略中央部に当接すると共に、図中、上下方向に往復運動可能とされたピストンロッド８と、該ピストンロッド８が内嵌されるシリンダ本体９と、ピストンロッド８の駆動を制御する電磁弁等の駆動機構（不図示）とを備えている。
【００２６】
そして、上記めっき装置においては、装置本体１及び伸縮部材２にめっき液が満たされた状態で、駆動機構によりピストンロッド８を作動させると、伸縮部材２が伸縮動作し、装置本体１は矢印Ｂで示す上下方向に往復運動し、これによりめっき液５には噴流が発生する。
【００２７】
すなわち、駆動機構の電源が、例えばオフ状態にあるときは、図１に示すように、ピストンロッド８はシリンダ本体９の内部に引っ込み、伸縮部材２は伸長した状態となる。
【００２８】
そして、駆動機構の電源がオン状態になると、図２に示すように、ピストンロッド８はシリンダ本体９から突出し、これにより伸縮部材２が収縮して装置本体１は下方に移動する。そしてこのオンーオフ動作を繰り返すことにより、装置本体１は矢印Ｂで示す上下方向に往復運動し、これによりめっき液５は図２の矢印Ｃに示すように噴流を発生し、撹拌されることとなる。
【００２９】
このように本実施の形態では、伸縮部材２を伸縮させて装置本体１を上下方向に往復運動させ、めっき液５に噴流が発生するように構成されているので、めっき液を十分に撹拌することができ、めっき液５中に還元剤が含有されている無電解めっき液の場合であっても局所的な浴分解が生じるのを防止することができる。そしてこれにより、めっき浴中の金属イオンと還元剤が反応するのを回避することができ、めっき金属が異常析出するのを防止することができる。しかも、伸縮部材２の伸縮動作によってめっき液５中に噴流を発生させているので、別途ポンプ等の流動器も設ける必要がなく、したがって［背景技術］の項で述べたような配管類は不要となり、保守・点検も容易かつ間単に行うことができる。
【００３０】
図３は本発明に係るめっき装置の第２の実施の形態を示す断面図であって、該第２の実施の形態では、伸縮部材２の下端に槽１０が装着されており、装置本体１、伸縮部材２、及び槽１０が互いに連通してこれら装置本体１、伸縮部材２及び槽１０にめっき液が満たされている。
【００３１】
そして、このめっき装置でも、上記第１の実施の形態と同様、駆動機構によりピストンロッド８を作動させると、図４に示すように、伸縮部材２が伸縮動作して装置本体１は上下方向（図中、矢印Ｂで示す。）に往復運動し、これによりめっき液５には噴流が発生する。
【００３２】
しかも、本第２の実施の形態では、伸縮部材２の下端には該伸縮部材２と連通する槽１０が装着されているので、伸縮部材２の伸縮動作により槽１０内から上方に向かって強力な噴流を発生させることが可能となり、これによってめっき液５の噴流効果がより一層顕著となってめっき液をより一層均一に撹拌することが可能となる。
【００３３】
尚、本発明は上記実施の形態に限定されるものではなく、要旨を逸脱しない範囲において種々の変更が可能である。上記第２の実施の形態では、シリンダ部４を装置本体１の上部に設けているが、該シリンダ部４を槽１０の下部に設け、槽１０が上下方向に往復運動するように構成してもよい。
【００３４】
また、上記実施の形態では、被めっき物の伸縮部材２側への落下を防止するために、装置本体１と伸縮部材２との間に仕切り板６を配設しているが、仕切り板６を省略しても本発明の課題を解決することができる。
【００３５】
さらに、上記実施の形態では、各構成部材、すなわち装置本体１、伸縮部材２及び台座３、又は装置本体１、伸縮部材２及び槽１０をそれぞれ別個の物体として形成しているが、これら各構成部材を一体的に形成してもよい。
【００３６】
また、伸縮部材２の形状についても、伸縮可能であればよく、蛇腹形状に限定されるものではない。また、伸縮部材の内壁面にめっき金属が析出する可能性のある場合は、ポリエチレンやポリプロピレン等の高分子フィルムを伸縮部材の内壁面に貼着して該伸縮部材の内壁にめっき金属が析出するのを防止することができる。
【００３７】
また、上記実施の形態では、伸縮部材を上下方向に往復運動させているが、水平方向或いは傾斜方向に往復運動させるように構成してもよく、また伸縮部材を複数取り付けて、装置本体を揺動運動等、自在に往復運動させるようにしてもよい。
【００３８】
さらに、駆動機構についても、上記実施の形態に限定されるものではなく、駆動源として空気、油圧、或いはモータ類等を使用してもよいのはいうまでもない。
【図面の簡単な説明】
【００３９】
【図１】本発明に係るめっき装置の一実施の形態（第１の実施の形態）を模式的に示す断面図である。
【図２】上記第１の実施の形態に係るめっき装置における伸縮部材の収縮状態を模式的に示す断面図である。
【図３】本発明に係るめっき装置の第２の実施の形態を模式的に示す断面図である。
【図４】上記第２の実施の形態に係るめっき装置における伸縮部材の収縮状態を模式的に示す断面図である。
【図５】めっき装置の従来例を模式的に示した断面図である。
【符号の説明】
【００４０】
１  装置本体
２  伸縮部材
５  めっき液
６  仕切り板
１０  槽
【図１】
2007327119.tif 000003
【図２】
2007327119.tif 000004
【図３】
2007327119.tif 000005
【図４】
2007327119.tif 000006
【図５】
2007327119.tif 000007